(57)【要約】      （修正有）【課題】プロジェクト管理効率を増進させることができる階層的プロジェクト管理装置を提供する。【解決手段】階層的プロジェクト管理装置は、マクロ管理ブロック及びマイクロ管理ブロックを格納するメモリー２２０及びマクロ管理ブロックとマイクロ管理ブロックの間のツリー構造関連性を制御するプロセッサを含む。プロセッサは、マクロ管理ブロックにプロジェクト３１０及びプロジェクトメッセージスレッド３２０を生成し、プロジェクトメッセージスレッド３２０に業務客体３６０のコンテナを含むノート客体３４０を関連させるマクロ管理過程及びマイクロ管理ブロックに業務メッセージスレッド３５０を生成し、業務メッセージスレッド３５０に業務客体３６０を関連させ、業務客体３６０が生成される度にマイクロ管理ブロックに業務客体３６０を挿入してツリー構造を更新するマイクロ管理過程を、遂行する。【選択図】図３
2018018526.tif 000002
【特許請求の範囲】
【請求項１】
互いに異なる業務評価接近権を有するマクロ管理ブロック及びマイクロ管理ブロックを格納するメモリー、および、
前記マクロ管理ブロック及び前記マイクロ管理ブロックの間のツリー構造関連性を制御するプロセッサを含み、
前記プロセッサは、
前記マクロ管理ブロックにプロジェクト及び前記プロジェクトと関連したプロジェクトメッセージスレッドを生成し、前記プロジェクトメッセージスレッドに前記プロジェクトの単位業務として業務客体のコンテナを含むノート客体を関連させるマクロ管理過程を遂行するステップ、および、
前記マイクロ管理ブロックに前記ノート客体と関連した業務メッセージスレッドを生成し、前記業務メッセージスレッドに前記業務客体を関連させ、前記業務客体が生成される度に前記マイクロ管理ブロックに前記業務客体を挿入して前記ツリー構造を更新するマイクロ管理過程を遂行するステップ、を含む、階層的プロジェクト管理装置。
【請求項２】
前記マクロ管理過程を遂行するステップは、
前記プロジェクトメッセージスレッドに参加される少なくとも一つのユーザの各々に前記プロジェクトと関連したマクロ及びマイクロ管理ブロックに対する業務遂行接近権を与えるステップを含むことを特徴とする、請求項１に記載の階層的プロジェクト管理装置。
【請求項３】
前記マクロ管理過程を遂行するステップは、
前記プロジェクトメッセージスレッドと関連したノート客体の生成個数または該当業務メッセージスレッドの更新頻度が特定基準以下であれば、前記プロジェクトメッセージスレッドを通じて該当関連した新規ノート客体の生成を推奨するノート客体生成推奨メッセージを提供するステップを含むことを特徴とする、請求項１に記載の階層的プロジェクト管理装置。
【請求項４】
前記マクロ管理過程を遂行するステップは、前記プロジェクトメッセージスレッドに開始日と締切日を通じて定義される日程タイムライン及び日程評点を有する日程客体を関連させるステップをさらに含むことを特徴とする、請求項１に記載の階層的プロジェクト管理装置。
【請求項５】
前記マクロ管理過程を遂行するステップは、
前記プロジェクトメッセージスレッドと関連する、または前記日程客体と関連した前記ノート客体の生成または削除が発生すれば、前記マクロ管理ブロック及び前記マイクロ管理ブロックの間のツリー構造を再び関連させるステップを含むことを特徴とする、請求項４に記載の階層的プロジェクト管理装置。
【請求項６】
前記マクロ管理過程を遂行するステップは、
前記ノート客体を前記プロジェクトメッセージスレッドで直接的に接近されることができ、テキストメッセージまたはメディアメッセージと区別される独立的なノートメッセージとして前記プロジェクトメッセージスレッドに追加して前記ノート客体を生成するステップを含むことを特徴とする、請求項１に記載の階層的プロジェクト管理装置。
【請求項７】
前記マイクロ管理過程を遂行するステップは、
業務生成者、業務処理者、及び業務評点を含み、前記業務処理者によりフィードバックできる前記業務客体が生成されれば、該当ノート客体と関連した前記業務生成者と業務処理者との間の業務メッセージスレッドを生成して、該当業務メッセージスレッドに前記業務客体を業務メッセージとして追加するステップを含むことを特徴とする、請求項１に記載の階層的プロジェクト管理装置。
【請求項８】
前記マイクロ管理過程を遂行するステップは、
前記業務処理者によるフィードバックに基づいて処理ステップ別進行状態を示す業務進行状態を含む前記業務客体の進行を遂行し、最終的に前記業務生成者の業務評価接近権を通じて前記業務客体を評価するステップを含むことを特徴とする、請求項７に記載の階層的プロジェクト管理装置。
【請求項９】
前記マイクロ管理過程を遂行するステップは、
前記ノート客体と関連した業務メッセージスレッドを通じて前記業務客体と関連し、該当業務進行状態が完了するまで特定反復基準に従って前記該当業務進行状態の完了を要請するリマインドメッセージを提供するステップを含むことを特徴とする、請求項８に記載の階層的プロジェクト管理装置。
【請求項１０】
マクロ管理ブロックに、プロジェクト、及び、前記プロジェクトと関連したプロジェクトメッセージスレッドを生成し、前記プロジェクトメッセージスレッドに、前記プロジェクトの単位業務として業務客体のコンテナを含むノート客体を関連させるマクロ管理過程を遂行するステップと、
マイクロ管理ブロックに前記ノート客体と関連した業務メッセージスレッドを生成し、前記業務メッセージスレッドに前記業務客体を関連させ、前記業務客体が生成される度に前記マイクロ管理ブロックに前記業務客体を挿入して前記ツリー構造を更新するマイクロ管理過程を遂行するステップと、を含む階層的プロジェクト管理方法に関するコンピュータプログラムを記録したコンピュータにより実行されることができ、コンピュータにより読み取り可能な記録媒体。
【発明の詳細な説明】
【技術分野】
【０００１】
本発明は業務評価照合技術に関し、より詳しくは、階層的に遂行されるマクロ及びマイクロ管理過程を通じてプロジェクト管理効率を増進させることができる階層的プロジェクト管理装置に関する。
【背景技術】
【０００２】
インターネットメッセンジャーはユーザ間の文字またはグラフィックを含むメッセージを伝達するアプリケーションに該当し、複数のユーザにより参加される対話室で具現できる。一実施形態において、インターネットメッセンジャーはモバイル環境（例えば、携帯電話）で遂行されるモバイルメッセンジャーを含むことができ、例えば、カカオトーク、ライン、ウィーチャット、フェイスブックメッセンジャーを含むことができる。
【０００３】
インターネットメッセンジャーを使用するユーザの数が急増するにつれて、モバイル環境で使われるアプリケーションも非常に多様に開発されており、その中からプロジェクト管理プログラムは多くのユーザにより使われている。
【０００４】
特許文献１は、モバイル機器での業務処理のためのデータ入力方法及び画面表示方法に関するものであって、行または列に日付またはＴｏＤｏ（Ｔｏ−ｄｏ  ｌｉｓｔ）をテーブル形態にディスプレイさせ；ある日付が選択されれば、該当日付に該当するＴｏＤｏがボックス形態に表示され、ボックスの左端及び右端のボックスは該当ＴｏＤｏの開始日及び終了日とし、かつ前記開始日及び終了日のボックスが画面にディスプレイされない場合には、画面にディスプレイされた左端及び右端のボックスに開始日及び終了日に関する情報を各々表示し；前記ボックスの内部に該当ＴｏＤｏに対する情報を表示し；そして、該当ＴｏＤｏに対して日付別に格納された内容をユーザが操作することができるように、ＴｏＤｏの完了、ＴｏＤｏの延期、ＴｏＤｏの終了、ＴｏＤｏの進行を含む選択ウィンドウを出力させる技術に対して開示する。
【０００５】
特許文献２は、移動通信端末機を用いたＴｏＤｏ管理方法に関するものであって、予め設定された時間に到達したか否かを判断し、前記予め設定された時間に到達した場合、予め登録されたＴｏＤｏ項目のうち、未完了のＴｏＤｏの項目を確認し、前記確認結果によって米完了のＴｏＤｏの項目をディスプレイする技術に対して開示する。
【先行技術文献】
【特許文献】
【０００６】
【特許文献１】韓国公開特許第１０−２００５−００９２１７３号公報
【特許文献２】韓国登録特許第１０−０６６３４９４号号公報
【発明の概要】
【発明が解決しようとする課題】
【０００７】
本発明の一実施形態は、階層的に遂行されるマクロ及びマイクロ管理過程を通じてプロジェクト管理効率を増進させることができる階層的プロジェクト管理装置を提供することをその目的とする。
【０００８】
本発明の一実施形態は、プロジェクトメッセージスレッドを通じてプロジェクト中心のマクロ管理過程を遂行し、業務メッセージスレッドを通じて単位業務中心のマイクロ管理過程を遂行してプロジェクト全体の効率と単位業務管理の効率を全て増進させることができる階層的プロジェクト管理装置を提供することをその目的とする。
【課題を解決するための手段】
【０００９】
実施形態のうち、階層的プロジェクト管理装置は、互いに異なる業務評価接近権を有するマクロ管理ブロック及びマイクロ管理ブロックを格納するメモリー、及び、前記マクロ管理ブロック及び前記マイクロ管理ブロック間のツリー構造関連性を制御するプロセッサを含み、前記プロセッサは前記マクロ管理ブロックにプロジェクト及び前記プロジェクトと関連したプロジェクトメッセージスレッドを生成し、前記プロジェクトメッセージスレッドに前記プロジェクトの単位業務として業務客体のコンテナを含むノート客体を関連させるマクロ管理過程を遂行するステップ、及び前記マイクロ管理ブロックに前記ノート客体と関連した業務メッセージスレッドを生成し、前記業務メッセージスレッドに前記業務客体を関連させ、前記業務客体が生成される度に前記マイクロ管理ブロックに前記業務客体を挿入して前記ツリー構造を更新するマイクロ管理過程を遂行するステップを含む。
【００１０】
前記マクロ管理過程を遂行するステップは、前記プロジェクトメッセージスレッドに参加される少なくとも一つのユーザの各々に前記プロジェクトと関連したマクロ及びマイクロ管理ブロックに対する業務遂行接近権を与えるステップを含むことができる。
【００１１】
前記マクロ管理過程を遂行するステップは、前記プロジェクトメッセージスレッドと関連したノート客体の個数に基づいて前記プロジェクトに関する重要性を決定し、スーパー管理者に該当重要性に関する情報を提供するステップを含むことができる。
【００１２】
前記マクロ管理過程を遂行するステップは、前記プロジェクトメッセージスレッドと関連したノート客体の生成個数または該当業務メッセージスレッドの更新頻度が特定基準以下であれば、前記プロジェクトメッセージスレッドを通じて該当関連した新規ノート客体の生成を推奨するノート客体生成推奨メッセージを提供するステップを含むことができる。
【００１３】
前記マクロ管理過程を遂行するステップは、前記プロジェクトメッセージスレッドに開始日と締切日を通じて定義される日程タイムライン及び日程評点を有する日程客体を関連させるステップをさらに含むことができる。
【００１４】
前記マクロ管理過程を遂行するステップは、前記プロジェクトメッセージスレッドと関連する、または前記日程客体と関連した前記ノート客体の生成または削除が発生すれば、前記マクロ管理ブロック及び前記マイクロ管理ブロック間のツリー構造を再び関連させるステップを含むことができる。
【００１５】
前記マクロ管理過程を遂行するステップは、前記日程客体の日程タイムラインにある開始日と締切日に基づいて該当日程客体に関して時系列に分析された日程成果情報を生成するステップを含むことができる。
【００１６】
前記マクロ管理過程を遂行するステップは、前記日程客体と関連したノート客体の生成個数または該当業務メッセージスレッドの更新頻度が特定基準以下であり、前記日程客体と関連した日程目標が特定比率以上達成されれば、前記プロジェクトメッセージスレッドを通じて該当日程客体の完成を推奨する日程完成推奨メッセージを提供するステップを含むことができる。
【００１７】
前記マクロ管理過程を遂行するステップは、前記ノート客体を前記プロジェクトメッセージスレッドで直接的に接近されることができ、テキストメッセージまたはメディアメッセージと区別される独立的なノートメッセージとして前記プロジェクトメッセージスレッドに追加して前記ノート客体を生成するステップを含むことができる。
【００１８】
前記マクロ管理過程を遂行するステップは、スーパー管理者の業務評価接近権を通じて前記プロジェクトを評価するステップをさらに含むことができる。
【００１９】
前記マクロ管理過程を遂行するステップは、前記スーパー管理者と関連したユーザ端末から受信された評価に基づいて前記プロジェクトの定性的プロジェクト評点を与えるステップ、前記プロジェクトメッセージと関連したノート客体の生成個数と該当ノート客体を通じて生成された業務客体に関する生成回数、処理回数、及び処理期間に基づいて前記プロジェクトの定量的プロジェクト評点を算出するステップ、及び前記定性的プロジェクト評点と定量的プロジェクト評点に基づいて前記プロジェクトに関する総合的な評価点数を算出するステップを含むことができる。
【００２０】
前記マイクロ管理過程を遂行するステップは、業務生成者、業務処理者、及び業務評点を含み、前記業務処理者によりフィードバックできる前記業務客体が生成されると、該当ノート客体と関連した前記業務生成者と業務処理者との間の業務メッセージスレッドを生成して、該当業務メッセージスレッドに前記業務客体を業務メッセージとして追加するステップを含むことができる。
【００２１】
前記マイクロ管理過程を遂行するステップは、前記業務処理者によるフィードバックに基づいて処理ステップ別進行状態を示す業務進行状態を含む前記業務客体の進行を遂行し、最終的に前記業務生成者の業務評価接近権を通じて前記業務客体を評価するステップを含むことができる。
【００２２】
前記マイクロ管理過程を遂行するステップは、前記業務生成者と業務処理者との間の応答関係で具現される業務客体関連応答を通じて前記業務客体の業務進行状態を更新するステップを含むことができる。
【００２３】
前記マイクロ管理過程を遂行するステップは、前記ノート客体と関連した業務メッセージスレッドを通じて前記業務客体と関連し、該当業務進行状態が完了するまで特定反復基準に従って、前記該当業務進行状態の完了を要請するリマインドメッセージを提供するステップを含むことができる。
【００２４】
前記マイクロ管理過程を遂行するステップは、前記提供されたリマインドメッセージの提供回数に基づいて業務反応速度を算出して前記業務客体の業務評点に含めるステップを含むことができる。
【００２５】
実施形態のうち、記録媒体は階層的プロジェクト管理方法に関するコンピュータプログラムを記録し、コンピュータにより実行されることができ、コンピュータにより読み取り可能である。前記階層的プロジェクト管理方法は、マクロ管理ブロックにプロジェクト及び前記プロジェクトと関連したプロジェクトメッセージスレッドを生成し、前記プロジェクトメッセージスレッドに前記プロジェクトの単位業務として業務客体のコンテナを含むノート客体を関連させるマクロ管理過程を遂行するステップ、及びマイクロ管理ブロックに前記ノート客体と関連した業務メッセージスレッドを生成し、前記業務メッセージスレッドに前記業務客体を関連させ、前記業務客体が生成される度に前記マイクロ管理ブロックに前記業務客体を挿入して前記ツリー構造を更新するマイクロ管理過程を遂行するステップを含む。
【発明の効果】
【００２６】
開示された技術は、次の効果を有することができる。但し、特定の実施形態が次の効果を全て含まなければならないとか、または次の効果のみを含まなければならないという意味ではないので、開示された技術の権利範囲はこれによって制限されるものとして理解されてはならない。
【００２７】
本発明の一実施形態に係る階層的プロジェクト管理装置は、階層的に遂行されるマクロ及びマイクロ管理過程を通じてプロジェクト管理効率を増進させることができる。
【００２８】
本発明の一実施形態に係る階層的プロジェクト管理装置は、プロジェクトメッセージスレッドを通じてプロジェクト中心のマクロ管理過程を遂行し、業務メッセージスレッドを通じて単位業務中心のマイクロ管理過程を遂行してプロジェクト全体の効率と単位業務管理の効率を全て増進させることができる。
【図面の簡単な説明】
【００２９】
【図１】本発明の一実施形態に係る階層的プロジェクト管理システムを説明する図である。
【図２】図１の階層的プロジェクト管理装置を示すブロック図である。
【図３】図２のメモリーの資料構造を示す図である。
【図４】図２のプロセッサの機能要素を示すブロック図である。
【図５】図２のプロセッサにより遂行される階層的プロジェクト管理プロシージャを説明するフローチャートである。
【図６】図１の階層的プロジェクト管理装置が階層的プロジェクト管理データを提供する過程の一実施形態を示す図である。
【図７】図１の階層的プロジェクト管理装置がプロジェクトメッセージスレッドを通じてマクロ管理過程を遂行する過程の一実施形態を示す図である。
【図８】図１の階層的プロジェクト管理装置が業務メッセージスレッドを通じてマイクロ管理過程を遂行する過程の一実施形態を示す図である。
【図９ａ】図１の階層的プロジェクト管理装置がユーザ要請に従う分析を遂行する過程の一実施形態を示す図である。
【図９ｂ】図１の階層的プロジェクト管理装置がユーザ要請に従う分析を遂行する過程の一実施形態を示す図である。
【図９ｃ】図１の階層的プロジェクト管理装置がユーザ要請に従う分析を遂行する過程の一実施形態を示す図である。
【図９ｄ】図１の階層的プロジェクト管理装置がユーザ要請に従う分析を遂行する過程の一実施形態を示す図である。
【図９ｅ】図１の階層的プロジェクト管理装置がユーザ要請に従う分析を遂行する過程の一実施形態を示す図である。
【発明を実施するための形態】
【００３０】
本発明に関する説明は構造的または機能的説明のための実施形態に過ぎないので、本発明の権利範囲は本文に説明された実施形態により制限的に解析されてはならない。即ち、実施形態は多様な変更が可能であり、多様な形態を有することができるので、本発明の権利範囲は技術的思想を実現することができる均等物を含むものとして理解されなければならない。また、本発明で提示された目的または効果は、特定の実施形態がこれを全部含まなければならないとか、そのような効果のみを含まなければならないという意味ではないので、本発明の権利範囲はこれによって制限されるものとして理解されてはならない。
【００３１】
一方、本出願で叙述される用語の意味は、次のように理解されるべきである。
【００３２】
“第１”、“第２”などの用語は一つの構成要素を他の構成要素から区別するためのものであって、これら用語により権利範囲が限定されてはならない。例えば、第１構成要素は第２構成要素として命名されることができ、同様に第２構成要素も第１構成要素として命名できる。
【００３３】
ある構成要素が他の構成要素に“連結されて”いると言及された時には、該他の構成要素に直接的に連結されることもあるが、中間に他の構成要素が存在することもあると理解されるべきである。一方、ある構成要素が他の構成要素に“直接連結されて”いると言及された時には、中間に他の構成要素が存在しないことと理解されるべきである。一方、構成要素の間の関係を説明する他の表現、即ち“〜間に”と“直ぐ〜間に”または“〜に隣り合う”と“〜に直接隣り合う”なども同様に解析されるべきである。
【００３４】
単数の表現は、文脈上、明白に異なる意味を有しない限り、複数の表現を含むと理解されるべきであり、“含む”または“有する”などの用語は実施された特徴、数字、ステップ、動作、構成要素、部分品、またはこれらを組み合わせたものが存在することを指定しようとするものであり、１つまたはその以上の他の特徴や数字、ステップ、動作、構成要素、部分品、またはこれらを組み合わせたものの存在または付加可能性を予め排除しないことと理解されるべきである。
【００３５】
各ステップにおいて、識別符号（例えば、ａ、ｂ、ｃなど）は説明の便宜のために使われるものであって、識別符号は各ステップの順序を説明するものでなく、各ステップは、文脈上、明白に特定順序を記載しない限り、明記した順序と異なるように起こることがある。即ち、各ステップは明記した順序と同一に起こることもあり、実質的に同時に遂行されることもあり、反対の順に遂行されることもある。
【００３６】
本発明はコンピュータにより読み取り可能な記録媒体にコンピュータにより読み取り可能なコードとして具現されることができ、コンピュータにより読み取り可能な記録媒体はコンピュータシステムにより読み取り可能なデータが格納される全ての種類の記録装置を含む。コンピュータにより読み取り可能な記録媒体の例には、ＲＯＭ、ＲＡＭ、ＣＤ−ＲＯＭ、磁気テープ、フロッピーディスク、光データ格納装置などがある。また、コンピュータにより読み取り可能な記録媒体はネットワークにより連結されたコンピュータシステムに分散されて、分散方式でコンピュータにより読み取り可能なコードが格納され、実行できる。
【００３７】
ここに使われる全ての用語は異なるように定義されない限り、本発明が属する分野で通常の知識を有する者により一般的に理解されるものと同一な意味を有する。一般的に使われる辞典に定義されている用語は、関連技術の文脈上の意味と一致するものとして解析されなければならず、本出願で明白に定義しない限り、理想的であるか、または過度に形式的な意味を有するものとして解析できない。
【００３８】
図１は、本発明の一実施形態に係る階層的プロジェクト管理システムを説明する図である。
【００３９】
図１を参照すると、階層的プロジェクト管理システム１００は階層的プロジェクト管理装置１１０及びユーザ端末１２０を含み、これらはネットワークを介して連結できる。
【００４０】
階層的プロジェクト管理装置１１０は、ユーザ端末１２０と連結されて階層的プロジェクト管理を遂行することができるコンピュータ装置に該当する。一実施形態において、階層的プロジェクト管理装置１１０は、ユーザ端末１２０と関連したユーザが構成員として含まれる少なくとも一つの構成員グループを管理することができ、少なくとも一つのユーザ端末１２０を通じて構成される構成員グループから転送されるメッセージをグループ化したメッセージスレッドを管理することができる。一実施形態において、メッセージスレッドはインターネットメッセンジャーの対話室で具現されることができ、他の一実施形態において、オンライン掲示板の掲示物を通じて具現できる。
【００４１】
一実施形態において、階層的プロジェクト管理装置１１０は、ユーザ端末１２０に設置されたプロジェクト管理メッセージングエージェントを通じてユーザ端末１２０と連結できる。一実施形態において、プロジェクト管理メッセージングエージェントは、ユーザ端末１２０に設置されれば、ユーザ端末１２０の承認下にユーザ端末１２０と階層的プロジェクト管理装置１１０がネットワークを介して連結されて相互連動できるようにするソフトウェアであるエージェントプログラムに該当する。
【００４２】
ユーザ端末１２０は、階層的プロジェクト管理装置１１０と連結されたコンピューティング装置に該当し、例えば、デスクトップ、ノートブック、タブレットＰＣ、またはスマートフォンで具現できる。一実施形態において、第１ユーザ端末１２０ａはモバイル端末に該当することができ、階層的プロジェクト管理装置１１０とセルラー通信またはワイファイ通信を通じて連結できる。他の一実施形態において、第２ユーザ端末１２０ｂはデスクトップに該当することができ、階層的プロジェクト管理装置１１０とインターネットを介して連結できる。
【００４３】
図２は、図１の階層的プロジェクト管理装置を示すブロック図である。
【００４４】
図２を参照すると、階層的プロジェクト管理装置１１０は、プロセッサ２１０、メモリー２２０、ユーザ入出力部２３０、及びネットワーク入出力部２４０を含むことができる。
【００４５】
プロセッサ２１０は、図４の階層的プロジェクト管理プロシージャが実行できるプロジェクト管理実行器２１２、プロジェクト管理実行器により読み取りまたは書き込みされるメモリー２２０にあるマクロ及びマイクロ管理ブロック２２２、２２４を管理することができるメモリー管理者２１４、及びメモリー２２０にある揮発性メモリーと不揮発性メモリーとの間の同期化時間をスケジュールすることができるメモリー同期スケジューラー２１６を含むことができる。プロセッサ２１０は、階層的プロジェクト管理装置１１０の動作の全般を制御することができ、メモリー２２０、ユーザ入出力部２３０、及びネットワーク入出力部２４０の間のデータの流れを制御することができる。プロセッサ２１０は、階層的プロジェクト管理装置１１０のＣＰＵ（Ｃｅｎｔｒａｌ  Ｐｒｏｃｅｓｓｉｎｇ  Ｕｎｉｔ）で具現できる。
【００４６】
メモリー２２０は、ＳＳＤ（Ｓｏｌｉｄ  Ｓｔａｔｅ  Ｄｉｓｋ）またはＨＤＤ（Ｈａｒｄ  Ｄｉｓｋ  Ｄｒｉｖｅ）のような不揮発性メモリーで具現されて階層的プロジェクト管理装置１１０に必要なデータ全般を格納することに使われる補助記憶装置を含むことができ、ＲＡＭ（Ｒａｎｄｏｍ  Ａｃｃｅｓｓ  Ｍｅｍｏｒｙ）のような揮発性メモリーで具現された主記憶装置を含むことができる。このように、メモリー２２０は揮発性及び不揮発性メモリーで具現されることができ、もし、不揮発性メモリーで具現されれば、ハイパーリンクを通じて連結されるように具現できる。
【００４７】
メモリー２２０は、マクロ管理ブロック２２２及びマイクロ管理ブロック２２４を含むことができる。このような内容は図３を参照してより詳しく説明する。
【００４８】
図３は、図２のメモリーの資料構造を示す図である。
【００４９】
メモリー２２０は、互いに異なる業務評価接近権を有するマクロ管理ブロック２２２及びマイクロ管理ブロック２２４を格納することができる。一実施形態において、業務評価接近権は該当管理ブロック（マクロ管理ブロック２２２またはマイクロ管理ブロック２２４）に格納され、業務評価のための業務評価データに読み取り/書き込みを遂行することができるアクセス権限に該当し、少なくとも一つの特定ユーザに与えられれば、該当ユーザ情報と関連して格納できる。
【００５０】
マクロ管理ブロック２２２は、プロジェクト管理ブロック２２２ａ、プロジェクトメッセージスレッド管理ブロック２２２ｂ、日程客体管理ブロック２２２ｃ、及びノート客体管理ブロック２２２ｄを含むことができる。プロジェクト管理ブロック２２２ａにはプロジェクト（Ｐｏｒｊｅｃｔ）３１０が格納されることができ、プロジェクトメッセージスレッド管理ブロック２２２ｂには特定プロジェクト３１０に固有に関連したプロジェクトメッセージスレッド（Ｐｏｒｊｅｃｔ  Ｍｅｓｓａｇｅ  Ｔｈｒｅａｄ）３２０が格納されることができ、日程客体管理ブロック２２２ｃには特定プロジェクトメッセージスレッド３２０と一対多に関連できる少なくとも一つの日程客体（Ｓｃｈｅｄｕｌｅ  Ｏｂｊｅｃｔ）３３０が格納されることができ、ノート客体管理ブロック２２２ｄにはプロジェクトメッセージスレッド３２０または日程客体３３０と一対多に関連できる少なくとも一つのノート客体（Ｎｏｔｅ  Ｏｂｊｅｃｔ）３４０が格納できる。一実施形態において、マクロ管理ブロック２２２はプロジェクトメッセージスレッド３２０と関連した少なくとも一つのマルチメディアファイル客体及び添付ファイル客体の各々を格納するマルチメディアファイル客体管理ブロック（図示せず）及び添付ファイル管理ブロック（図示せず）をさらに含むことができる。
【００５１】
例えば、プロジェクト管理ブロック２２２ａに格納されたプロジェクトＰＪ＃１は該当プロジェクトの生成によって固有に生成されたプロジェクトメッセージスレッドＰＭＴ  ＃１と一対一に関連することができ、プロジェクトメッセージスレッド管理ブロック２２２ｂに格納され、プロジェクト管理ブロック２２２ａを通じて接近できるプロジェクトメッセージスレッドＰＭＴ  ＃１は複数のノート客体ＮＯ＃１、ＮＯ＃２、及び複数の日程客体ＳＯ＃１、…、ＳＯ＃Ｊと一対多に関連できる。日程客体管理ブロック２２２ｃに格納され、プロジェクトメッセージスレッド管理ブロック２２２ｂを通じて接近できる日程客体ＳＯ＃１は、複数のノート客体ＮＯ＃３、…、ＮＯ＃Ｋと一対多に関連することができ、ノート客体管理ブロック２２２ｄに格納され、プロジェクトメッセージスレッド管理ブロック２２２ｂまたは日程客体管理ブロック２２２ｃを通じて接近できるノート客体ＮＯ＃１は、複数の業務メッセージスレッドＷＭＴ  ＃１、ＷＭＴ  ＃２、及び業務客体ＷＯ  ＃２と一対多に関連できる（図３で、表記されたＮ、Ｊ、Ｋ、Ｌ、及びＭは自然数で、相互同一または相異する値を有することができる）。
【００５２】
マイクロ管理ブロック２２４は、業務メッセージスレッド管理ブロック２２４ａ及び業務客体管理ブロック２２４ｂを含むことができる。業務メッセージスレッド管理ブロック２２４ａには、ノート客体３４０、マルチメディアファイル客体、または添付ファイル客体と関連した少なくとも一つの業務メッセージスレッド（Ｗｏｒｋ  Ｍｅｓｓａｇｅ  Ｔｈｒｅａｄ）３５０が格納されることができ、業務客体管理ブロック２２４ｂはノート客体３４０または業務メッセージスレッド３５０と関連した少なくとも一つの業務客体（Ｗｏｒｋ  Ｏｂｊｅｃｔ）３６０が格納できる。例えば、業務メッセージスレッド管理ブロック２２４ａに格納され、ノート客体３４０または日程客体３３０と関連し、ノート客体管理ブロック２２２ｄを通じて接近できる業務メッセージスレッドＷＭＴ＃１は、複数の業務客体ＷＯ＃１、ＷＯ＃２、…、ＷＯ＃Ｍと一対多に関連することができ、複数の業務客体ＷＯ＃１、ＷＯ＃２、…、ＷＯ＃Ｍの各々は業務客体管理ブロック２２４ｂに格納され、業務メッセージスレッド管理ブロック２２４ａを通じて接近できる。
【００５３】
メモリー２２０はユーザ端末１２０と関連したユーザ情報が格納されるユーザメモリーブロックをさらに含むことができ、ここで、ユーザ情報はユーザの名前（対話名）、メッセンジャーＩＤ、パスワード、構成員として所属された構成員グループ、参加中のプロジェクト、及び業務評価ポイント情報のうち、少なくとも一つを含むことができる。
【００５４】
ユーザ入出力部２３０はユーザ入力を受信するための環境及びユーザに特定情報（例えば、プロジェクト評価データ）を出力するための環境を含み、例えば、マウス、トラックボール、タッチパッド、グラフィックタブレット、スキャナー、タッチスクリーン、キーボード、またはポインティング装置のようなアダプターを含む入力装置及びモニター、またはタッチスクリーンのようなアダプターを含む出力装置を含むことができる。一実施形態において、ユーザ入出力部２３０は遠隔接続を通じて接続されるコンピュータ装置に該当することができ、そのような場合、階層的プロジェクト管理装置１１０はサーバーとして遂行できる。
【００５５】
ネットワーク入出力部２４０はネットワークを介してユーザ端末１２０と連結するための環境を含み、例えば、ＬＡＮ（Ｌｏｃａｌ  Ａｒｅａ  Ｎｅｔｗｏｒｋ）通信のためのアダプターを含むことができる
【００５６】
図４は、図２のプロセッサの機能要素を示すブロック図である。
【００５７】
図４を参照すると、プロセッサ２１０は、マクロ管理過程遂行部４１０、制御部４２０、及びマイクロ管理過程遂行部４３０を含むことができる。
【００５８】
プロセッサ２１０は、マクロ管理ブロック２２２及びマイクロ管理ブロック２２４の間のツリー構造関連性を制御することができる。前述したように、マクロ管理ブロック２２２とマイクロ管理ブロック２２４とは相互間に一対多に関連できるツリー構造を有することができ、プロセッサ２１０はこれら間の関連性を制御することができる。一実施形態において、プロセッサ２１０は特定プロジェクト３１０と関連して、該当関連した業務客体３６０の生成または削除が発生すれば、マクロ管理ブロック２２２及びマイクロ管理ブロック２２４の間のツリー構造を更新することができる。例えば、プロセッサ２１０はノート客体ＮＯ＃１と関連した業務客体ＷＯ＃２が削除されれば、マクロ管理ブロック２２２にあるノート客体ＮＯ＃１とマイクロ管理ブロック２２４にある業務客体ＷＯ＃２との間の連結を解除させ、マクロ管理ブロック２２２及びマイクロ管理ブロック２２４の間のツリー構造を更新することができる。
【００５９】
マクロ管理過程遂行部４１０は、マクロ管理過程を遂行することができる。一実施形態において、マクロ管理過程は効率良いプロジェクト進行を目的として遂行される巨視的観点の管理過程であって、マクロ管理ブロック２２２と関連したプロジェクト３１０、プロジェクトメッセージスレッド３２０、日程客体３３０、及びノート客体３４０のうち、少なくとも一つに関する生成、修正、及び削除を含むデータ管理過程、プロジェクト進行の効率性を高めるためにプロジェクト参加構成員にプロジェクト関連進行の要求、リマインド、及び関連情報提供を含む進行管理過程及びプロジェクトの全般に関する評価を含む評価管理過程のうち、少なくとも一つを含むことができる。
【００６０】
より詳しくは、マクロ管理過程遂行部４１０は次のようなマクロ管理過程を遂行することができる。
【００６１】
マクロ管理過程遂行部４１０は、マクロ管理ブロック２２２にプロジェクト３１０及び該当プロジェクト３１０と関連したプロジェクトメッセージスレッド３２０を生成することができる。一実施形態において、マクロ管理過程遂行部４１０は、ユーザのプロジェクト生成権を通じて特定プロジェクト３１０及び該当特定プロジェクト３１０と一対一に関連したプロジェクトメッセージスレッド３２０を各々生成してマクロ管理ブロック２２２に格納することができ、ここで、プロジェクト生成権は少なくとも一つのユーザ全てに与えられるか、またはスーパー管理者とスーパー管理者により指定された少なくとも一つのサブ管理者（例えば、チーム長）に与えられることができる。
【００６２】
一実施形態において、マクロ管理過程遂行部４１０はプロジェクトメッセージスレッド３２０に参加される少なくとも一つのユーザの各々に該当プロジェクト３１０と関連したマクロ及びマイクロ管理ブロック２２２、２２４に対する業務遂行接近権を与えることができる。例えば、マクロ管理過程遂行部４１０はメッセンジャーのプロジェクト対話室で具現されたプロジェクトメッセージスレッド３２０に参加中のユーザに該当プロジェクト３１０の進行過程に参加できる業務遂行接近権を与えることができ、該当ユーザが該当プロジェクト対話室から出れば、該当ユーザに該当業務遂行接近権を与えないように再設定することができる。マクロ及びマイクロ管理過程遂行部４１０、４３０は、ユーザの業務遂行接近権を通じて該当プロジェクトメッセージスレッド３２０と関連した少なくとも一つのノート客体３４０または日程客体３３０を生成するか、または既に生成されたノート客体３４０と関連した業務客体３６０を生成するなどのユーザ業務遂行に従うデータ管理過程を遂行することができる。
【００６３】
マクロ管理過程遂行部４１０は、プロジェクトメッセージスレッド３２０にノート客体３４０を関連させることができる。一実施形態において、マクロ管理過程遂行部４１０は、ユーザ端末１２０に設置されたプロジェクト管理メッセージングエージェント（例えば、プロジェクト管理メッセンジャー）でプロジェクトメッセージスレッド３２０を視覚化したプロジェクトメッセージスレッドインターフェース７１０を介してユーザ端末１２０から該当プロジェクト３１０に関する新規ノート客体生成要請を受信することができ、ユーザ端末１２０から受信されたノート情報に基づいてノート名称、ノート内容、ノート生成者、及びノート関連者（ノート生成者により該当ノート内容に関する主要参加者として指定された少なくとも一つのユーザ）のうち、少なくとも一つを含むノート客体３４０を生成して該当プロジェクトメッセージスレッド３２０に関連させることができる。
【００６４】
ここで、ノート客体３４０は該当プロジェクト３１０の単位業務として業務客体３６０のコンテナを含み、例えば、自身または自身と関連した業務メッセージスレッド３５０を通じて生成される業務客体３６０と一対多に関連した該当業務客体３６０の上位ノードに該当することができる。
【００６５】
マクロ管理過程遂行部４１０は、ノート客体３４０を該当プロジェクトメッセージスレッド３２０で直接的に接近されることができ、テキストメッセージまたはメディアメッセージと区別される独立的なノートメッセージとして該当プロジェクトメッセージスレッド３２０に追加して該当ノート客体３４０を生成することができる。例えば、ノート客体３４０の各々はメッセンジャーの対話室で具現されたプロジェクトメッセージスレッド３２０で該当対話室に参加する構成員によりノートメッセージとして接近されることができ、一般的なテキストメッセージに該当する対話メッセージと写真や映像メッセージのようなメディアメッセージと区別されるノートメッセージ客体に該当することができる。
【００６６】
一実施形態において、マクロ管理過程遂行部４１０は、該当プロジェクトメッセージスレッド３２０と関連したノート客体３４０の生成個数に基づいて該当プロジェクト３１０に関する重要性を決定し、スーパー管理者に該当重要性に関する情報を提供することができる。例えば、マクロ管理過程遂行部４１０は関連したノート客体３４０の生成個数が第１基準範囲、第２基準範囲、または第３基準範囲にあるか否かによって該当プロジェクト３１０の重要性を‘上’、‘中’、‘下’のうちの一つに決定することができ、決定された重要性情報をユーザ端末１２０に提供してユーザ端末１２０が重要性の高い特定プロジェクト３１０を強調して視覚化するか、または該当ユーザと関連したプロジェクトリストのうち、優先的に表示するようにすることができる。
【００６７】
マクロ管理過程遂行部４１０は、特定プロジェクトメッセージスレッド３２０と関連したノート客体３４０の生成個数または該当業務メッセージスレッド３５０の更新頻度が特定基準以下であれば、該当プロジェクトメッセージスレッド３２０を通じて該当プロジェクトメッセージスレッド３２０と関連した新規ノート客体の生成を推奨するノート客体生成推奨メッセージを提供することができる。例えば、マクロ管理過程遂行部４１０は、特定プロジェクト３１０と関連して該当関連したノート客体３４０の記録数が足りない場合、該当プロジェクトメッセージスレッド３２０に作成が推奨されるノート客体３４０の基準個数対比現在生成個数に関する情報を提供してノート記録を促すノート客体生成推奨メッセージを追加することができる。
【００６８】
一実施形態において、マクロ管理過程遂行部４１０は、ノート客体生成推奨メッセージの提供の有無を決定するためにプロジェクト生成者から指定されたノート客体３４０の基準個数をプロジェクト生成日から期間別に比例するように反映することができる。
【００６９】
一実施形態において、マクロ管理過程遂行部４１０は特定プロジェクトメッセージスレッド３２０と関連したノート客体３４０の個数及び該当業務メッセージスレッド３５０の最後のメッセージ処理時間を考慮して以下の式（数１）（数１において、ｎｓは該当プロジェクト３１０に関して作成が推奨されるノート客体生成基準個数に該当し、スーパー管理者やサブ管理者により設定及び調整されることができ、ｎは該当プロジェクトメッセージスレッド３２０と関連したノート客体３４０の生成個数を意味し、ｍａｖｇは該当関連した業務メッセージスレッド３５０の最後のメッセージ処理時間の平均値を意味する）に基づいて該当プロジェクト３１０に関するノート客体生成推奨メッセージの提供の有無を決定することができる。例えば、マクロ管理過程遂行部４１０は、特定プロジェクト３１０と関連して、ｎｓが５個に設定された場合（ｎｓ＝５）、関連したノート客体３４０の生成個数が３個であり（ｎ＝３）、該当ノート客体３４０と関連した２個の業務メッセージスレッド３５０の最後のメッセージ更新時点が各々７２時間前と５０時間前に該当すれば（ｍａｖｇ＝６１）、ノート客体生成推奨メッセージ決定指数（ｄ）を１．２２として算出して、ノート生成推奨メッセージの提供を決定することができる（ここで、該当決定指数（ｄ）が１以上であれば提供することに、１未満であれば提供しないことに決定することができる）。
【００７０】
【数１】
2018018526.tif 000003
【００７１】
一実施形態において、マクロ管理過程遂行部４１０は、ノート客体生成推奨メッセージに対する応答として新規ノート客体の即時生成または特定時間以後の新規ノート客体生成に関する予約と関連したノート客体生成推奨応答メッセージを受信することができる。一実施形態において、ノート客体生成推奨応答メッセージは、該当応答を遂行した応答者により指定された特定時間と臨時ノート名を含むことができる。マクロ管理過程遂行部４１０は、受信されたノート客体生成推奨応答メッセージが特定時間以後の新規ノート客体生成に関する予約と関連すれば、該当特定時間以後の時点に到達した時、該当応答者をノート生成者として含み、該当臨時ノート名を含むノート客体３４０を生成して、該当業務メッセージスレッド３５０にノートメッセージとして自動に追加することができ、該当ノート生成者に該当ノート客体３４０の作成を完了することを促すノート作成完了要求メッセージをさらに提供することができる。一実施形態において、応答者により別途のユーザが予約ノート完成者に指定された場合には、該当別途のユーザに該当ノート客体３４０の修正権限を与えることができる。
【００７２】
一実施形態において、マクロ管理過程遂行部４１０は、特定時間区間の間、特定ノート客体３４０に従属的な業務客体３６０の予約点数の和が特定基準以上であれば、該当ノート客体３４０を該当プロジェクト３１０の主要ノート活動に設定することができる。例えば、マクロ管理過程遂行部４１０は該当プロジェクトメッセージスレッド３２０を通じて該当設定に関して知らせることができ、ユーザ端末１２０に該当設定情報を提供してユーザ端末１２０が主要ノート活動であることを強調する視覚的表示をするようにすることができる。ここで、予約点数は業務客体３６０に含まれ、該当業務客体３６０に関して該当業務生成者を通じて評価できる点数の最大上限である最大目標点数を意味し、このような内容は業務客体３６０に関する説明でより詳細に叙述する。
【００７３】
マクロ管理過程遂行部４１０は、生成されたプロジェクトメッセージスレッド３２０に開始日と締切日を通じて定義される日程タイムラインを有する少なくとも一つの日程客体３３０を関連させることができる。一実施形態において、マクロ管理過程遂行部４１０は、ユーザ端末１２０に設置されたプロジェクト管理メッセージエージェントのプロジェクトメッセージスレッドインターフェース７１０を介してユーザ端末１２０から該当プロジェクト３１０に関する新しい日程客体生成要請を受信することができ、ユーザ端末１２０から受信された日程情報に基づいて日程内容、日程タイムライン、及び日程目標を含む日程客体３３０を生成して該当プロジェクトメッセージスレッド３２０にメッセージ客体として追加することができる。一実施形態において、日程目標はユーザにより定量的または定性的に入力できる目標値と現在達成値を含むことができ、マクロ管理過程遂行部４１０は目標値と最近に更新された現在達成値との比較を通じて目標を完了したか否か、及び目標近接程度を近似的に判断することができる。
【００７４】
一実施形態において、日程客体３３０は日程生成者により日程を受ける対象が指定されることができ、特定プロジェクト３１０と関連したプロジェクトメッセージスレッド３２０に参加される全体参加者、または全体参加者のうちの少なくとも一つが日程を受ける対象として指定できる。
【００７５】
一実施形態において、日程客体３３０は該当サブ−業務単位で定義された日程評点を有することができ、例えば、該当日程客体３３０と関連したノート客体３４０を通じて生成された業務客体３６０の業務評点に基づいて定量的に自動算出することができる。他の一実施形態において、日程客体３３０は業務生成者またはスーパー管理者により定性的に評価され、評価点数上限を有する日程評点を有することができる。
【００７６】
マクロ管理過程遂行部４１０は、プロジェクトメッセージスレッド３２０と関連するか、または日程客体３３０と関連したノート客体３４０の生成または削除が発生すれば、マクロ管理ブロック２２２及びマイクロ管理ブロック２２４の間のツリー構造を再び関連させることができる。
【００７７】
一実施形態において、マクロ管理過程遂行部４１０は、日程客体３３０の日程タイムラインにある開始日と締切日に基づいて該当日程客体３３０に関して時系列に分析された日程成果情報を生成することができる。より詳しくは、マクロ管理過程遂行部４１０は、該当開始日と締切日との間に時系列に分割された少なくとも一つの時間区間の間、該当日程客体３３０と関連して生成されたノート３４０の生成個数、該当ノート３４０と関連したノートメッセージスレッド３５０のメッセージ処理量、及び該当ノートメッセージスレッド３５０を通じて生成された業務客体３６０の生成個数と処理個数のうち、少なくとも一つを検出して該当時間区間の間の日程成果情報として生成することができる。
【００７８】
一実施形態において、マクロ管理過程遂行部４１０は、該当プロジェクトメッセージスレッド３２０と関連したノート客体３４０、マルチメディアファイル客体、及び添付ファイルのうち、少なくとも一つに関する登録個数及びプロジェクト関連性を分析して時系列に分析されたプロジェクト成果情報を生成することができ、プロジェクト３１０の各々に関して総合的に分析された成果情報を生成することもできる。
【００７９】
一実施形態において、マクロ管理過程遂行部４１０は、プロジェクトメッセージスレッド３２０に追加されたノート客体３４０、日程客体３３０、マルチメディアファイル客体、及び添付ファイルの各々に関して直接接近を通じての照合数に基づいて前記プロジェクト関連性を算出することができ、例えば、プロジェクト参加人員対比該当照合数を各々に関するプロジェクト関連性として算出することができる。他の一実施形態において、マクロ管理過程遂行部４１０は、ノート客体３４０の各々に関して予め設定された基準個数対比該当業務客体３６０の生成個数に基づいて該当ノート客体３４０のプロジェクト関連性を算出することもできる。
【００８０】
マクロ管理過程遂行部４１０は、該当日程客体３３０の日程デッドラインにある開始日及び締切日に基づいて現在の日程進行状態を決定することができ、日程進行状態が更新される度に該当プロジェクトメッセージスレッド３２０を通じて該当日程客体３３０に関する更新情報を提供してプロジェクト進行効率を増進させることができる。一実施形態において、マクロ管理過程遂行部４１０は、少なくとも一つの日程客体３３０の各々の処理ステップ別進行状態を通じて該当日程客体３３０の日程進行状態を示すことができる。例えば、日程客体３３０の日程進行状態は‘閉じた’、‘去る’、‘進行中’、及び‘予定された’を含むことができる。ここで、‘予定された’はまだ該当日程客体３３０の開始日が始まる前の日程状態に該当し、‘進行中’は現在進行中の日程状態であって、関連したノート３４０の生成が可能な日程を意味し、‘去る’は該当日程客体３３０の締切日が過ぎた日程状態であって、関連したノート３４０が生成できず、評価されなければならない日程を意味し、‘閉じた’は締切日が過ぎて評価も遂行されて終了した日程状態を意味する（図８参照）。
【００８１】
一実施形態において、マクロ管理過程遂行部４１０は、各日程客体３３０に関連したノート３４０の個数または該当ノートメッセージスレッド３５０の更新頻度が特定基準以下であれば、該当プロジェクトメッセージスレッド３２０を通じて該当日程客体３３０と関連した新規ノートの生成を推奨するノート生成推奨メッセージを提供することができる。
【００８２】
一実施形態において、マクロ管理過程遂行部４１０は、各日程客体３３０に関連したノート３４０の個数または該当ノートメッセージスレッド３５０の更新頻度が特定基準以下であり、該当日程客体３３０と関連した日程目標が特定比率以上達成されれば、ノート生成推奨メッセージの代りに、該当日程客体３３０の完成を推奨する日程完成推奨メッセージを提供することができる。前記において、特定基準や特定比率はスーパー管理者により設定及び調整できる。
【００８３】
一実施形態において、マクロ管理過程遂行部４１０は、少なくとも一つの日程客体３３０の各々の日程デッドラインに基づいて該当日程客体３３０の状態を予定状態、進行状態、終了状態、及び評価完了状態のうちの一つに決定することができる。一実施形態において、マクロ管理過程遂行部４１０は、進行状態に決定された日程客体３３０の場合にもスーパー管理者またはサブ管理者と関連したユーザ端末１２０から該当日程客体３３０に関する終了処理要請が受信されれば、該当該当日程客体３３０が締切日より早期に終了したと判断して終了状態として処理することができる。
【００８４】
一実施形態において、マクロ管理過程遂行部４１０は、少なくとも一つの日程客体３３０のうち、スーパー管理者により指定された第１及び第２日程客体の日程タイムラインの間を相互関連させて第１日程客体が完了すれば、該当締切日と完了日との間の差に基づいて第２日程客体の日程タイムラインを調整するようにすることができる。例えば、マクロ管理過程遂行部４１０は、第１日程客体が該当締切日より早く完了すれば、第２日程客体の日程タイムラインにある開始日と締切日を該当差だけ繰り上げるように調整することができ、遅く完了すれば、それだけ遅延されるように調整することができる。
【００８５】
一実施形態において、マクロ管理過程遂行部４１０は、該当締切日と完了日との間の差を該当日程客体３３０に関する日程評価に反映することができる。例えば、マクロ管理過程遂行部４１０は、該当締切日より特定日数（例えば、５日）だけ早く完了した日程客体３３０の日程評点に該当特定日数に該当する比率（例えば、１０％）を加算するようにすることができる。
【００８６】
マクロ管理過程遂行部４１０は、スーパー管理者の業務評価接近権を通じてプロジェクト３１０を評価することができる。一実施形態において、マクロ管理過程遂行部４１０は、プロジェクトメッセージスレッド３２０に参加される少なくとも一つのユーザの各々を該当プロジェクト３１０の実務者または観察者として関連させることができ、該当プロジェクト生成者または該当プロジェクト生成者により指定された特定観察者に該当プロジェクト３１０を評価するためのスーパー管理者としての業務評価接近権を与えることができる。例えば、観察者に指定されたユーザのうちの一人が該当プロジェクト３１０に関する評価者に該当するスーパー管理者に指定されて、該当評価者にスーパー管理者の業務評価接近権が与えられることができ、チーム員に指定された実務者のうちの一人がサブ管理者としてのチーム長に指定されることができ、スーパー管理者は評価者として該当プロジェクト３１０に関する評価を通じて被評価者としてのサブ管理者に該当プロジェクト３１０の遂行内容に対するプロジェクト評点を与えるようにすることができる。
【００８７】
一実施形態において、マクロ管理過程遂行部４１０は、スーパー管理者と関連したユーザ端末１２０から受信された該当プロジェクト３１０に関する評価に基づいて該当プロジェクト３１０の定性的プロジェクト評点を与えることができる。例えば、マクロ管理過程遂行部４１０は、評価の遂行過程で、プロジェクト生成者により予め指定されたプロジェクト評価最大点数を上限にするプロジェクト評価点数をスーパー管理者から受信することができる。
【００８８】
一実施形態において、マクロ管理過程遂行部４１０は、該当プロジェクト３１０と関連したノート客体３４０の生成個数、該当ノート客体３４０を通じて生成された業務客体の生成回数、処理回数、及び処理期間に基づいて該当プロジェクト３１０の定量的プロジェクト評点を算出することができる。
【００８９】
一実施形態において、マクロ管理過程遂行部４１０は、該当プロジェクト３１０に関する定性的プロジェクト評点と定量的プロジェクト評点に基づいて該当プロジェクト３１０に関する総合的な評価点数を算出することができる。例えば、マクロ管理過程遂行部４１０は、該当定性的プロジェクト評点と定量的プロジェクト評点を合算または平均するか、または加重値によって演算処理して、該当プロジェクト３１０に関する総合的な評価点数を算出することができる。マクロ管理過程遂行部４１０は、該当プロジェクト３１０に関する総合的な評価点数が算出されれば、該当総合的な評価点数をユーザ端末１２０に提供して、該当プロジェクト３１０のリーダであるチーム長または該当プロジェクト参加者全員が確認するようにすることができる。一実施形態において、マクロ管理過程遂行部４１０は、前記のような総合的な評価点数の算出過程を日程客体３３０別に遂行することもできる。
【００９０】
一実施形態において、マクロ管理過程遂行部４１０は、プロジェクト３１０が終了する前まで該当定量的プロジェクト評点を特定周期で更新し、更新された定量的プロジェクト評点を向上させるための特定プロジェクト活動を選別して、該当プロジェクトメッセージスレッド３２０を通じて推薦することができる。一実施形態において、マクロ管理過程遂行部４１０は、定量的プロジェクト評点の算出基準を分析してノート客体３４０の新規生成、既に生成されたノート客体３４０と関連した業務客体３６０の新規生成、既に生成された業務客体３６０の早い処理、及び該当プロジェクトメッセージスレッド３２０に処理されたメッセージ処理量の向上のうちの一つを前記特定プロジェクト活動に決定することができる。例えば、マクロ管理過程遂行部４１０は、プロジェクト３１０が終了処理されるか、またはスーパー管理者による定性的プロジェクト評点を受信する前まで２４時間周期で該当プロジェクト３１０の定量的プロジェクト評点を更新することができ、現在まで算出された定量的プロジェクト評点と関連して該当定量的プロジェクト評点の算出基準を満たさない特定活動数値（例えば、（ｉ）ノート客体３４０の生成個数、（ｉｉ）各ノート客体３４０と関連した業務客体３６０の生成個数、（ｉｉｉ）該当業務客体３６０の業務進行状態、及び（ｉｖ）該当プロジェクトメッセージスレッド３２０に処理されたメッセージ処理量のうちの一つ）を検出して、該当活動数値を改善するための特定プロジェクト活動（例えば、（ｉ）ノート客体３４０の新規生成、（ｉｉ）既に生成されたノート客体３４０と関連した業務客体３６０の新規生成、（ｉｉｉ）既に生成された業務客体３６０の早い処理、及び（ｉｖ）該当プロジェクトメッセージスレッド３２０を通じての意思疎通メッセージ量の増加のうちの一つ）を定量的プロジェクト評点を向上させるための特定プロジェクト活動に選別することができ、該当特定プロジェクト活動を推奨するプロジェクト活動推奨メッセージを該当プロジェクトメッセージスレッド３２０を通じて提供することができる。
【００９１】
一実施形態において、マクロ管理過程遂行部４１０は、特定プロジェクト３１０に関する評価が完了すれば、該当関連した全ての日程客体３３０と関連して定義された日程タイムラインと実際に完了した日程タイムラインとの間の分析に基づいて、該当プロジェクト３１０に参加する全体参加者に関する業務協同性（ｃｏｏｐｅｒａｔｉｖｉｔｙ）を自動に評価することができる。一実施形態において、マクロ管理過程遂行部４１０は、プロジェクト３１０別に評価された業務協同性の評価結果を全体業務協同性平均結果と比較分析して、上位特定パーセント比率（例えば、２０％）対比、ある程度の位置にあるかに対する模範業務協同性を演算してユーザ端末１２０に提供することもできる。
【００９２】
一実施形態において、マクロ管理過程遂行部４１０は、少なくとも一つのノート客体３４０にあるノート内容または少なくとも一つの日程客体３３０にある日程内容、日程タイムライン、及び日程目標のうち、少なくとも一つに関する情報が修正されれば、該当プロジェクトメッセージスレッド３２０に該当変更情報及び該当ノート客体３４０または日程客体３３０に接近するための接近リンクを含むお知らせメッセージを追加することができる。マクロ管理過程遂行部４１０は、プロジェクトメッセージスレッド３２０にある日程客体３３０またはノート客体３４０が更新される度に、該当参加者にメッセージとして通報することができる。
【００９３】
一実施形態において、マクロ管理過程遂行部４１０は、特定プロジェクトメッセージスレッド３２０と関連していない特定ノート客体３４０、日程客体３３０、マルチメディアファイル、及び添付ファイルのうちの一つに関する登録要請が受信されれば、該当要請の特定ノート客体３４０、マルチメディアファイル、または添付ファイルを生成し、新しいプロジェクト３１０及び該当プロジェクト３１０と関連したプロジェクトメッセージスレッド３２０を生成して、該当プロジェクトメッセージスレッド３２０と該当要請のノート客体３４０、マルチメディアファイル、または添付ファイルを関連させることができる。マクロ管理過程遂行部４１０は、新しいプロジェクト３１０の生成によって該当マクロ管理ブロック２２２及び該当マイクロ管理ブロック２２４の間のツリー構造を生成し、相互間の関連性を制御することができる。
【００９４】
一実施形態において、マクロ管理過程遂行部４１０は、プロジェクト生成者またはスーパー管理者により該当プロジェクトメッセージスレッド３２０を通じて該当プロジェクト３１０に対する終了処理要請が受信されれば、該当プロジェクト３１０を終了処理し、該当プロジェクトメッセージスレッド３２０を通じての新規ノート客体３４０の生成を制限することができる。
【００９５】
一実施形態において、マクロ管理過程遂行部４１０は、プロジェクトメッセージスレッド３２０を通じて該当プロジェクトメッセージスレッド３２０と従属的に関連したマルチメディアファイル客体及び添付ファイルのうち、少なくとも一つが生成されれば、これをマクロ管理ブロック２２２に格納し、該当プロジェクトメッセージスレッド３２０にメディアメッセージまたは添付ファイルメッセージとして追加することができる。
【００９６】
制御部４２０はプロセッサ２１０の動作全般を制御することができ、マクロ管理過程遂行部４１０とマイクロ管理過程遂行部４３０との間のデータ流れを制御することができる。
【００９７】
マイクロ管理過程遂行部４３０は、マイクロ管理過程を遂行することができる。一実施形態において、マイクロ管理過程は効率良い業務管理を目的で遂行される微視的観点の管理過程であって、マイクロ管理ブロック２２４と関連し、特定ノート客体３４０、マルチメディアファイル客体、または添付ファイルに従属的な業務メッセージスレッド３５０、及び業務客体３６０のうち、少なくとも一つに関する生成、修正、及び削除を含むデータ管理過程、業務客体３６０に関する業務管理の効率性を高めるために関連構成員に業務関連進行の要求、リマインド、及び関連情報提供を含む進行管理過程、及び業務客体３６０を含む業務の全般に関する評価を含む評価管理過程のうち、少なくとも一つを含むことができる。
【００９８】
より詳しくは、マイクロ管理過程遂行部４３０は、次のようなマイクロ管理過程を遂行することができる。
【００９９】
マイクロ管理過程遂行部４３０は、マイクロ管理ブロック２２４にノート客体３４０と関連した業務メッセージスレッド３５０を生成し、該当業務メッセージスレッド３５０に業務客体３６０を関連させることができる。一実施形態において、マイクロ管理過程遂行部４３０は、ノート客体３４０と関連した業務メッセージスレッド３５０の新規生成要請が受信されれば、該当ノート客体３４０と関連し、該当業務生成者と業務処理者との間に既に生成された対話室が存在するか否かを確認し、もし存在すると確認されれば、ユーザ端末１２０から受信された業務情報に基づいて生成された業務客体３６０を該当対話室の業務メッセージスレッド３５０と関連させ、もし存在しないと確認されれば、該当ノート客体３４０と関連した該当業務生成者と業務処理者との間の対話室を新しく生成して該当業務メッセージスレッド３５０と関連させることができる。
【０１００】
マイクロ管理過程遂行部４３０は、業務客体３６０が生成される度にマイクロ管理ブロック２２４に該当業務客体３６０を挿入して該当ツリー構造を更新することができる。一実施形態において、マイクロ管理過程遂行部４３０は、ユーザ要請に基づいて特定プロジェクトメッセージスレッド３２０を通じてユーザにより転送されたマルチメディアファイル客体または添付ファイル客体と関連した業務メッセージスレッド３５０を生成し、該当業務メッセージスレッド３５０に業務客体３６０を関連させることもできる。
【０１０１】
マイクロ管理過程遂行部４３０は、業務生成者、業務処理者、及び業務評点を含み、該当業務処理者によりフィードバックできる業務客体３６０を生成することができる。より詳しくは、マイクロ管理過程遂行部４３０は、業務客体３６０が生成されれば、該当ノート客体３４０と関連した該当業務生成者と業務処理者との間の業務メッセージスレッド３５０を生成して、該当業務メッセージスレッド３５０に該当業務客体３６０をメッセージ客体として関連させることができる。ここで、業務生成者は該当業務の生成を要請したユーザ端末１２０と関連したユーザに該当し、業務処理者は該当業務生成者により該当業務を処理する対象として指定されたユーザに該当し、業務評点は該当業務が完了すれば、該当業務生成者により評価できる評価点数の最大上限を意味する評価予約点数と実際に評価された点数を意味する評価点数を含むことができる。これによって、一実施形態において、業務生成者は対話室内で業務メッセージで表現された業務客体３６０を通じて業務処理者に業務を指示または評価することができる。
【０１０２】
マイクロ管理過程遂行部４３０は、処理ステップ別進行状態を示す業務進行状態を含む業務客体３６０の進行を遂行することができる。より詳しくは、マイクロ管理過程遂行部４３０は、業務生成者及び業務処理者のうちの一方による要請と他方による応答を反映して業務処理ダイヤグラムに予め決定された業務進行状態を更新し、関連した業務メッセージスレッド３５０を更新する方式により業務客体３６０の進行を遂行することができる。一実施形態において、業務進行状態は、‘新しい’、‘する中’、‘済み’、及び‘確認’を含むことができる。‘新しい’は業務客体３６０が新しく生成された状態を示し、‘する中’は業務処理者が該当業務客体３６０を処理中の状態を示し、‘済み’は業務処理者が該当業務客体３６０を完了した状態で、業務生成者から業務完了に対するインタラクションを待つ状態を示し、‘確認’は業務生成者が業務処理者の完了した業務客体３６０を確認した状態を示す。
【０１０３】
マイクロ管理過程遂行部４３０は、業務生成者と業務処理者との間の応答関係で具現される業務客体関連応答を通じて該当業務客体３６０の業務進行状態を更新することができる。一実施形態において、マイクロ管理過程遂行部４３０は、プロジェクト管理メッセージングエージェントにある業務客体３６０に関する制御インターフェースを介して業務生成者または業務処理者と関連したユーザ端末１２０から業務関連応答を受信することができる。ここで、業務客体関連応答は業務生成者または業務処理者と関連したユーザ端末１２０により応答できる業務客体に関する応答に該当し、一実施形態において、該当業務客体の現在業務処理状態によって、業務確認応答、業務完了応答、及び業務評価応答のうち、少なくとも一つを含むことができる。例えば、マイクロ管理過程遂行部４３０は、業務進行状態が‘新しい’状態に該当する業務客体３６０に関して業務処理者に該当する構成員から業務インタラクションを受信すれば、該当業務進行状態を次の進行状態である‘する中’状態に更新することができる。マイクロ管理過程遂行部４３０は、業務客体関連応答を受信すれば、現在業務処理状態を決定し、関連した業務メッセージスレッド３５０を更新することができる。
【０１０４】
マイクロ管理過程遂行部４３０は、業務客体３６０の進行を遂行して最終的に業務生成者の業務評価接近権を通じて該当業務客体３６０を評価することができる。一実施形態において、マイクロ管理過程遂行部４３０は、現在業務進行状態が‘済み’状態である業務客体３６０に関して、該当業務生成者と関連したユーザ端末１２０から業務客体関連応答のうちの一つである業務評価応答を受信することができ、該当業務評価応答に含まれ、該当業務生成者により指定された業務評点を該当業務客体３６０の業務評点として与えることができる。一実施形態において、マイクロ管理過程遂行部４３０は、該当プロジェクト３１０を生成したプロジェクト生成者により指定された特定実務者または該当業務客体３６０を生成した業務生成者に該当業務客体３６０を評価するためのユーザに業務生成者としての業務評価接近権を与えることができ、該当業務評価接近権が与えられたユーザから該当業務客体３６０に関する業務処理者の業務内容を評価するための業務評点を受信することができる。
【０１０５】
マイクロ管理過程遂行部４３０は、業務メッセージスレッド３５０を通じて業務客体３６０と関連し、該当業務進行状態が完了するまで特定反復基準に従って該当業務進行状態の完了を要請するリマインドメッセージを提供することができる。より詳しくは、マイクロ管理過程遂行部４３０は、業務客体集合で予め設定されたリマインド条件を満たす少なくとも一つの業務客体３６０を検出して、検出された業務客体の各々と関連したリマインドメッセージを生成することができ、生成されたリマインドメッセージを特定反復基準（例えば、１２時間周期で転送）によって各業務客体３６０で業務処理者として指定されたユーザと関連したユーザ端末１２０に提供することができ、リマインドメッセージが提供される度にカウントされた提供回数を該当業務客体３６０と関連させて格納することができる。一実施形態において、マイクロ管理過程遂行部４３０は、業務客体３６０の業務処理状態及び業務締切期限に基づいて特定反復基準を決定して、該当基準に従ってリマインドメッセージを生成することができる。
【０１０６】
マイクロ管理過程遂行部４３０は、リマインド業務客体集合にあるリマインド業務客体に関するリマインド内容とリマインド回数を含むリマインドメッセージを生成して、該当リマインド業務客体と関連した業務処理者、業務生成者、及び業務参照者のうち、少なくとも一つに提供することができる。ここで、リマインド内容は該当業務客体３６０に関する業務生成者、業務処理者及び業務内容、業務進行状態及び締切期限のうち、少なくとも一つに関する要約情報を含むことができ、リマインド回数は何番目のリマインドに該当するかを示す。マイクロ管理過程遂行部４３０は、リマインド業務客体別にリマインド遂行回数を累積カウントしてリマインド回数に関して演算処理することができる。
【０１０７】
一実施形態において、マイクロ管理過程遂行部４３０は、リマインドメッセージを該当業務客体３６０と関連した業務メッセージスレッド３５０を通じて提供することができる。マイクロ管理過程遂行部４３０は、生成されたリマインドメッセージを関連した業務メッセージスレッド３６０に業務メッセージとして追加する方式により提供するか、またはプロジェクト管理インターフェース６００を介してリマインド業務客体に関する業務概要及び業務客体接近リンクを含むリストを提供する方式により提供することができる。一実施形態において、マイクロ管理過程遂行部４３０は、特定業務客体３６０と関連したリマインドメッセージに対する該当業務処理者の応答に基づいて該当業務客体３６０の業務進行状態を変更処理することができる。
【０１０８】
一実施形態において、マイクロ管理過程遂行部４３０は、業務客体３６０の業務進行状態に従う締切期限までの差の日数が特定条件を満たすか否かを確認してリマインド緊急性を判断することができ、緊急であると判断されれば、該当業務客体３６０のリマインドメッセージ提供頻度を増加させることができる。
【０１０９】
マイクロ管理過程遂行部４３０は、提供されたリマインドメッセージの提供回数に基づいて業務反応速度を算出して該当業務評点に含めることができる。ここで、業務反応速度は、業務処理者が何番目のリマインドメッセージにインタラクションして業務客体３６０の業務進行状態を変更させたかを示し、算出された値が小さいほど該当業務処理者が早くインタラクションして業務を処理したことを意味することができる。例えば、リマインドメッセージが２回提供された後、業務処理者が該当リマインドメッセージに応答して業務処理状態を変更したら、該当業務客体３６０に関する業務反応速度は２として算出できる。
【０１１０】
一実施形態において、マイクロ管理過程遂行部４３０は、業務客体３６０の各々に関して業務進行状態別に業務処理者の業務反応速度を算出することができ、関連した全ての業務客体３６０に関して該当業務処理者の平均業務反応速度を算出することができる。マイクロ管理過程遂行部４３０は、平均業務反応速度を個人別に算出することができ、チーム別に算出することもできる。
【０１１１】
図５は、図２のプロセッサによって遂行される階層的プロジェクト管理プロシージャを説明するフローチャートである。
【０１１２】
図５で、マクロ管理過程遂行部４１０は、マクロ管理ブロック２２２にプロジェクト３１０及び該当プロジェクト３１０と関連したプロジェクトメッセージスレッド３２０を生成し（ステップＳ５１０）、該当プロジェクトメッセージスレッド３２０に該当プロジェクト３１０の単位業務として業務客体３６０のコンテナを含むノート客体３４０を関連させる（ステップＳ５２０）マクロ管理過程を遂行することができる。一実施形態において、マクロ管理過程遂行部４１０は、プロジェクトメッセージスレッド３２０に開始日と締切日を通じて定義される日程タイムラインを有する少なくとも一つの日程客体３３０を関連させることができ、このような場合、ノート客体３４０はプロジェクトメッセージスレッド３２０または日程客体３３０と関連できる。
【０１１３】
マイクロ管理過程遂行部４２０は、マイクロ管理ブロック２２４に該当ノート客体３４０と関連した業務メッセージスレッド３５０を生成し（ステップＳ５３０）、該当業務メッセージスレッド３５０に業務客体３６０を関連させ（ステップＳ５４０）、業務客体３６０が生成される度にマイクロ管理ブロック２２２に該当ノート客体３４０を挿入して該当ツリー構造を更新（ステップＳ５５０）するマイクロ管理過程を遂行することができる（ステップＳ５２０）。
【０１１４】
図６は、図１の階層的プロジェクト管理装置が階層的プロジェクト管理データを提供する過程の一実施形態を示す図である。
【０１１５】
図６で、階層的プロジェクト管理装置１１０は、ユーザ端末１２０にマクロ管理ブロック２２２に格納され、該当ユーザと関連したプロジェクト３１０、プロジェクトメッセージスレッド３２０、日程客体３３０、及びノート客体３４０に関するマクロ管理過程の遂行結果としてのマクロ管理データとマイクロ管理ブロック２２４に格納され、業務メッセージスレッド３５０及び業務客体３６０に関するマイクロ管理過程の遂行結果としてのマイクロ管理データを含む階層的プロジェクト管理データを提供することができる。これによって、階層的プロジェクト管理装置１１０は、ユーザ端末１２０が該当ユーザ端末１２０に設置されたプロジェクト管理メッセージングエージェントにあるプロジェクト管理インターフェース６００を介して該当マクロ管理データとマイクロ管理データをディスプレイするようにすることができ、プロジェクト管理インターフェース６００を介して該当ユーザと関連したプロジェクト管理要請を受信してマクロ管理過程やマイクロ管理過程を遂行することができる。
【０１１６】
ユーザ端末１２０は、階層的プロジェクト管理装置１１０から提供を受けた階層的プロジェクト管理データを今日のＴｏＤｏ提供領域６１０を通じて視覚化させることができる。これによって、ユーザは今日のＴｏＤｏ提供領域６１０を通じて自身と関連し、リマインドを必要とする業務客体３６０のリストを確認するか、または該当リマインドメッセージを確認することができる。
【０１１７】
ユーザ端末１２０は、階層的プロジェクト管理装置１１０から提供を受けた階層的プロジェクト管理データに基づいてプロジェクト対話室提供領域６２０を通じて該当ユーザが参加中のプロジェクトメッセージスレッド３２０の各々に関してプロジェクト名称、関連した日程客体３３０の個数、関連したノート客体３４０の個数、及び接近リンクを含むプロジェクトメッセージスレッドリストを視覚化させることができる。
【０１１８】
ユーザ端末１２０は、階層的プロジェクト管理装置１１０から提供を受けた階層的プロジェクト管理データに基づいてノート提供領域６３０を通じて該当ユーザが参加中のプロジェクトメッセージスレッド３２０と関連したノート客体３４０のノート名称、ノート内容、関連した業務客体３６０の生成情報、及び接近リンクを含むノートリストを視覚化させることができる。
【０１１９】
ユーザ端末１２０は、階層的プロジェクト管理装置１１０から提供を受けた階層的プロジェクト管理データに基づいて業務メッセージスレッド提供領域６４０を通じて該当ユーザが業務生成者または業務処理者として関連した業務客体３６０の業務内容と業務進行状態または該当ユーザがチャット参加者として関連した業務メッセージスレッド３５０に関する情報を視覚化させることができる。
【０１２０】
ユーザ端末１２０は、階層的プロジェクト管理装置１１０から提供を受けた階層的プロジェクト管理データに基づいて全てのプロジェクトビューボタン６２５を通じて該当ユーザと関連した全てのプロジェクト３１０及びノート客体３４０を視覚化させることができるインターフェースを提供することができる。
【０１２１】
階層的プロジェクト管理装置１１０は、前述したように、ユーザ端末１２０にマクロ管理データを提供してプロジェクト対話室提供領域６２０及びノート提供領域６３０を通じてプロジェクト方向性などの巨視的観点の主題が討議されるように支援し、関連したノート客体３４０または日程客体３３０の個数やメッセージ処理量をチェックして活動の要求を推奨する推奨メッセージを提供することができ、関連したノート客体３４０や日程客体３３０などの新規生成や修正発生時に該当プロジェクトメッセージスレッド３２０を更新するなどのマクロ管理過程を遂行することができる。
【０１２２】
また、階層的プロジェクト管理装置１１０は、前述したように、ユーザ端末１２０にマイクロ管理データを提供して業務メッセージスレッド提供領域６４０を通じてプロジェクト単位業務として業務客体３６０に関する微視的観点の主題が討議されるように支援し、業務客体３６０の新規生成や修正発生時に該当業務メッセージスレッド３５０を通じてお知らせメッセージを提供し、業務客体３６０の業務進行状態が更新されれば、該当業務メッセージスレッド３５０を更新し、リマインドを必要とする業務客体３６０に関して該当業務メッセージスレッド３５０を通じてリマインドメッセージを提供するなどのマイクロ管理過程を遂行することができる。
【０１２３】
図７は、図１の階層的プロジェクト管理装置がプロジェクトメッセージスレッドを通じてマクロ管理過程を遂行する過程の一実施形態を示す図である。
【０１２４】
図７で、階層的プロジェクト管理装置１１０は、ユーザ端末１２０にマクロ及びマイクロ管理過程の遂行結果として階層的プロジェクト管理データを提供してユーザ端末１２０がプロジェクトメッセージスレッドインターフェース７１０を介して該当マクロ管理過程の遂行結果をディスプレイするようにすることができる。
【０１２５】
ユーザ端末１２０は、階層的プロジェクト管理装置１１０から受信された階層的プロジェクト管理データに基づいて関連日程及びノート個数提供領域７１２を通じて関連した日程客体３３０に関する生成個数及び接近リンクを日程進行状態別に提供することができ（例えば、‘閉じた’状態の日程０個、‘去る’状態の日程０個、‘進行中’状態の日程３個、‘予定された’状態の日程０個）、該当日程客体３３０または該当プロジェクトメッセージスレッド３２０と関連したノート３４０、マルチメディアファイル客体（写真）、添付ファイル客体（ファイル）の生成個数及び接近リンクを提供することができる。
【０１２６】
ユーザ端末１２０は、階層的プロジェクト管理装置１１０から受信された階層的プロジェクト管理データに基づいて該当関連したノート客体３４０に関して識別番号７１４のようにノートメッセージとして視覚化させることができ、該当関連した日程客体３３０に関して識別番号７１６のように日程メッセージとして視覚化させることができ、対話メッセージ入力欄７１８を通じてユーザ同士間の対話メッセージの入力を受けてダイアログウィンドウに視覚化させることができる。
【０１２７】
ユーザ端末１２０は、関連日程及びノート個数提供領域７１２を通じてユーザにより該当関連した特定日程客体３３０に関する接近が要請されれば、階層的プロジェクト管理装置１１０と連動して日程客体リストインターフェース７２０を介して関連した少なくとも一つの日程客体３３０に関するリストを視覚化させることができ、該当関連した特定ノート客体３４０に関する接近が要請されれば、ノート客体リストインターフェース７３０を介して関連した少なくとも一つの日程客体３３０に関するリストを視覚化させることができる。
【０１２８】
ユーザ端末１２０は、ノート客体リストインターフェース７３０を介して視覚化されたノート客体リストのうちから特定ノート客体３４０が選択されれば、ノート客体制御インターフェース７４０を介して該当ノート客体３４０に関するノート内容、ノート生成者、ノート作成日、添付ファイルなどに関する情報を視覚化することができる。ユーザ端末１２０は、開設対話室表示アイコン７４１を通じて関連した業務メッセージスレッド３５０の生成個数表示及び接近リンクの提供を支援し、生成業務客体表示アイコン７４２を通じて関連した業務客体３６０の生成個数表示及び接近リンクの提供を支援し、お気に入りアイコン７４３を通じて該当ノート客体３４０を主要ノート客体に設定するためのユーザ要請を受信することができ、新規対話室生成アイコン７４４を通じて該当ノート客体３４０と関連した新しい対話室を生成するためのユーザ要請を受信することができ、新規業務客体生成アイコン７４５を通じて該当ノート客体３４０と関連した新しい業務客体３６０を生成するためのユーザ要請を受信することができる。
【０１２９】
図８は、図１の階層的プロジェクト管理装置が業務メッセージスレッドを通じてマイクロ管理過程を遂行する過程の一実施形態を示す図である。
【０１３０】
階層的プロジェクト管理装置１１０は、ユーザ端末１２０に該当ユーザがプロジェクト参加者として関連した業務メッセージスレッド３５０及び業務客体３６０に関するマイクロ管理データを提供して該当プロジェクト管理メッセージングエージェントにある業務メッセージスレッドインターフェース８００を介して関連情報を視覚化させることができる。
【０１３１】
業務メッセージスレッドインターフェース８００は、主要情報表示欄８１０、業務客体進行状態表示欄８２０、メッセージ表示欄８３０、業務客体生成ボタン８４０、マルチメディアアップロードメニュー８５０、ファイルアップロードメニュー８６０、及びチャットメッセージ入力欄８７０を含むことができる。
【０１３２】
ユーザ端末１２０は、主要情報表示欄８１０を通じて該当関連したノート客体３４０に含まれたノート名称、ノート内容、及びノート生成者のうち、少なくとも一つに関して表示することができ、業務客体進行状態表示欄８２０を通じて該当業務メッセージスレッド３５０を通じて生成された業務客体３６０に関して業務進行状態別に生成個数を表示することができ、ユーザ要請によって該当業務客体３３０に接近するように支援することができる。
【０１３３】
ユーザ端末１２０は、メッセージ表示欄８３０を通じて業務メッセージで表現される業務客体３６０及び対話メッセージで表現される一般的なチャットメッセージを提供することができ、例えば、業務客体３６０の場合、識別番号８３２のように、一般的なチャットメッセージやマルチメディアファイル客体と区分される独立的な業務メッセージで具現され、業務内容、業務生成者、業務処理者、及び業務処理者を含み、該当業務処理者によりフィードバックできる業務進行状態を含む該当業務客体３６０に関して視覚化することができる（図８で、業務進行状態と関連して新しい（●〇〇〇）、する中（〇●〇〇）、済み（〇〇●〇）、または確認（〇〇〇●）のように、現在処理ステップに対応するシンボルを通じて現在業務進行状態を示すことができる）。また、ユーザ端末１２０は、識別番号８３４のように、リマインド対象としての業務客体３６０に関する主要内容及び現在業務進行状態を次のステップに変更することができる状態変更ボタン（業務処理者により‘する中（doing）’状態から‘済み（done）’状態に変更可能）を含むリマインドメッセージを提供することができる。
【０１３４】
ユーザ端末１２０は、業務客体生成ボタン８４０を通じて該当業務メッセージスレッド３５０と関連し、ユーザにより指定された業務生成者、業務処理者、業務内容、及び業務評点に関する業務情報を含む業務客体生成要請を受信して階層的プロジェクト管理装置１１０に転送することができ、これによって、階層的プロジェクト管理装置１１０は受信された業務客体生成要請に基づいて業務生成者、業務処理者、業務内容、及び業務評点を含む業務客体３６０を生成して、該当業務メッセージスレッド３５０に業務メッセージとして追加することができ、結果的に、ユーザ端末１２０は識別番号８３２と類似するように、該当業務客体３６０を業務メッセージとして対話室内に視覚化させることができる。
【０１３５】
ユーザ端末１２０は、マルチメディアアップロードメニュー８５０及びファイルアップロードメニュー８６０の各々を通じてマルチメディア及びファイルに関するアップロード要請を受信することができる。ユーザ端末１２０は、チャットメッセージ入力欄８７０を通じてユーザから対話を受信して階層的プロジェクト管理装置１１０に転送することができる。
【０１３６】
図９ａ〜９ｅは、図１の階層的プロジェクト管理装置がユーザ要請に従う分析を遂行する過程の一実施形態を示す図である。
【０１３７】
階層的プロジェクト管理装置１１０は、プロジェクト対話室提供領域６２０にある分析ボタン６５０を通じて該当ユーザが参加するプロジェクトメッセージスレッド３２０と関連した全ての日程客体３３０、ノート客体３４０、及び業務客体３６０に関する分析要請を受信することができ、分析要請が受信されれば、各プロジェクト３１０に所属された日程客体３３０またはノート客体３４０、該当ノート客体３４０に所属された業務客体３６０に関する分析を遂行することができ、プロジェクト別に分析結果を演算してユーザ端末１２０に提供することができる。
【０１３８】
図９ａで、階層的プロジェクト管理装置１１０は，日程分析を通じて各プロジェクト３１０別に関連した日程客体３３０の日程評点に関する分析を遂行することができ、該当分析結果をユーザ端末１２０に提供してユーザ端末１２０が日程点数照合インターフェース（図９ａ）を介して各プロジェクト３１０別の日程点数を表示するようにすることができる。階層的プロジェクト管理装置１１０は、各点数が選択されれば、該当日程客体３３０に関するリストを提供して、これを表示するようにすることができる。ここで、予約された点数は評価の以前の‘開いた’状態の日程客体３３０の点数の和を意味し、評価された点数は評価の以後の‘閉じた’状態の日程客体３３０の点数の和を意味する。
【０１３９】
図９ｂで、階層的プロジェクト管理装置１１０は、ノート分析を通じて各プロジェクト３１０別に関連したノート客体３４０の個数に関する分析を遂行することができ、該当分析結果をユーザ端末１２０に提供してユーザ端末１２０がノート数分析照合インターフェース（図９ｂ）を介して各プロジェクト３１０別のノート個数を表示するようにすることができる。階層的プロジェクト管理装置１１０は、各点数が選択されれば、該当ノート客体３４０に関するリストを提供して、これを表示するようにすることができる。
【０１４０】
図９ｃで、階層的プロジェクト管理装置１１０は、業務客体分析（頼み数分析）を通じて各プロジェクト３１０別に該当関連した業務客体３６０の個数に関する分析を遂行することができ、該当分析結果をユーザ端末１２０に提供してユーザ端末１２０が頼み数分析照合インターフェース（図９ｃ）を介して各プロジェクト３１０別に頼み（業務客体３６０）の生成個数、予約された頼み点数（業務客体３６０の予約点数）を視覚化するようにすることができる。ここで、確認前の頼み数は、業務処理者により確認される前の状態の業務客体３６０の個数を意味する。
【０１４１】
図９ｄで、階層的プロジェクト管理装置１１０は、業務評点分析（頼み点数分析）を通じて各プロジェクト３１０別に該当関連した業務客体３６０の業務評点に関する分析を遂行することができ、該当分析結果をユーザ端末１２０に提供してユーザ端末１２０が頼み点数分析照合インターフェース（図９ｄ）を介して各プロジェクト３１０別に評価された頼み点数（業務客体３６０の業務評点）を視覚化するようにすることができる。
【０１４２】
図９ｅで、階層的プロジェクト管理装置１１０は、業務反応速度分析（処理速度分析）を通じて各プロジェクト３１０別に該当関連した業務客体３６０の業務反応速度に関する分析を遂行することができ、該当分析結果をユーザ端末１２０に提供してユーザ端末１２０が処理速度分析照合インターフェース（図９ｅ）を介して各プロジェクト３１０別に処理された業務反応速度を視覚化するようにすることができる。
【０１４３】
以上、本出願の好ましい実施形態を参照して説明したが、該当技術分野の熟練した通常の技術者は以下の特許請求範囲に記載された本発明の思想及び領域から逸脱しない範囲内で本出願を多様に修正及び変更させることができることを理解することができる。
【符号の説明】
【０１４４】
１００    階層的プロジェクト管理システム
１１０    階層的プロジェクト管理装置
１２０    ユーザ端末
２１０    プロセッサ
２２０    メモリー
２３０    ユーザ入出力部
２４０    ネットワーク入出力部
３１０    マクロ管理過程遂行部
３２０    制御部
３３０    マイクロ管理過程遂行部
【図１】
2018018526.tif 000004
【図２】
2018018526.tif 000005
【図３】
2018018526.tif 000006
【図４】
2018018526.tif 000007
【図５】
2018018526.tif 000008
【図６】
2018018526.tif 000009
【図７】
2018018526.tif 000010
【図８】
2018018526.tif 000011
【図９ａ】
2018018526.tif 000012
【図９ｂ】
2018018526.tif 000013
【図９ｃ】
2018018526.tif 000014
【図９ｄ】
2018018526.tif 000015
【図９ｅ】
2018018526.tif 000016